(57)【要約】【課題】近隣セル情報の報知に伴うオーバーヘッドを削減する。【解決手段】ＵＥ１００は、マクロセルのカバレッジ内に小セルが配置される移動通信システムにおいて、マクロセルから報知される近隣セル情報に基づいてセル再選択を行う。ＵＥ１００は、マクロセルと接続した接続状態において、小セルに関する小セル情報を管理するサーバ４００から、マクロセルを介して小セル情報を取得する。マクロセルから報知される近隣セル情報は、小セル以外の近隣セルに関する情報である。ＵＥ１００は、アイドル状態において、サーバ４００から取得した小セル情報に基づいて小セルに対するセル再選択を行う。【選択図】図８
2015065560.tif 000002
【特許請求の範囲】
【請求項１】
マクロセルのカバレッジ内に小セルが配置される移動通信システムにおいて、前記マクロセルから報知される近隣セル情報に基づいてセル再選択を行うユーザ端末であって、
前記ユーザ端末が前記マクロセルと接続した接続状態において、前記小セルに関する小セル情報を管理するサーバ装置から、前記マクロセルを介して前記小セル情報を取得する制御部を備え、
前記マクロセルから報知される前記近隣セル情報は、前記小セル以外の近隣セルに関する情報であり、
前記制御部は、前記ユーザ端末のアイドル状態において、前記サーバ装置から取得した前記小セル情報に基づいて前記小セルに対するセル再選択を行うことを特徴とするユーザ端末。
【請求項２】
前記マクロセルから報知されるサーバ情報を受信する受信部をさらに備え、
前記サーバ情報は、前記ユーザ端末が前記サーバ装置にアクセスするために必要な情報であり、
前記制御部は、前記サーバ情報に基づいて、前記サーバ装置から前記マクロセルを介して前記小セル情報を取得することを特徴とする請求項１に記載のユーザ端末。
【請求項３】
前記制御部は、前記ユーザ端末の地理的位置を示す端末位置情報を前記サーバ装置に通知することにより、前記ユーザ端末の近傍に位置する前記小セルについての前記小セル情報を前記サーバ装置から取得することを特徴とする請求項１又は２に記載のユーザ端末。
【請求項４】
マクロセルのカバレッジ内に小セルが配置される移動通信システムにおいて、前記マクロセルを管理する基地局であって、
前記小セル以外の近隣セルに関する近隣セル情報を報知する制御部を備え、
前記近隣セル情報は、アイドル状態にあるユーザ端末が前記小セル以外の近隣セルに対するセル再選択に利用する情報であることを特徴とする基地局。
【請求項５】
前記制御部は、前記小セルに関する小セル情報を管理するサーバ装置にアクセスするために必要なサーバ情報をさらに報知し、
前記小セル情報は、アイドル状態にあるユーザ端末が前記小セルに対するセル再選択に利用する情報であることを特徴とする請求項４に記載の基地局。
【請求項６】
マクロセルのカバレッジ内に小セルが配置される移動通信システムにおいて用いられるサーバ装置であって、
前記小セルに関する小セル情報を管理する制御部を備え、
前記制御部は、前記マクロセルと接続したユーザ端末に対して、前記マクロセルを介して前記小セル情報を提供し、
前記小セル情報は、アイドル状態にある前記ユーザ端末が前記小セルに対するセル再選択に利用する情報であることを特徴とするサーバ装置。
【請求項７】
前記小セル情報は、前記小セルのセル識別子を含み、
前記制御部は、前記マクロセルのセル識別子と関連付けて前記小セル情報を管理しており、
前記小セルのセル識別子の上位ビットは、前記マクロセルのセル識別子に含まれる上位ビットと同一であることを特徴とする請求項６に記載のサーバ装置。
【請求項８】
前記小セル情報は、前記小セルの地理的位置を示す小セル位置情報と関連付けられており、
前記制御部は、前記ユーザ端末から通知される端末位置情報に基づいて、前記ユーザ端末の近傍に位置する前記小セルについての前記小セル情報を前記ユーザ端末に提供することを特徴とする請求項６又は７に記載のサーバ装置。
【発明の詳細な説明】
【技術分野】
【０００１】
本発明は、移動通信システムにおいて用いられるユーザ端末、基地局、及びサーバ装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）では、アイドル状態にあるユーザ端末は、サービングセルから周期的に報知される近隣セル情報に基づいて、セル再選択を行う。
【０００３】
近隣セル情報とは、例えばシステム情報ブロックタイプ４（ＳＩＢ４）乃至システム情報ブロックタイプ８（ＳＩＢ８）である。ＳＩＢ４は、周波数内（Ｉｎｔｒａ−ｆｒｅｑｕｅｎｃｙ）の近隣セルに関する情報である。ＳＩＢ５は、他周波数（Ｉｎｔｅｒ−ｆｒｅｑｕｅｎｃｙ）の近隣セルに関する情報である。ＳＩＢ６乃至ＳＩＢ８は、ＬＴＥ（Ｅ−ＵＴＲＡ）とは異なる規格の近隣セルに関する情報である。
【０００４】
また、近年では、マクロセル内に小セルを配置することにより、通信容量の増大を図る技術が注目されている。小セルとは、例えばピコセル又はフェムトセルである。小セルは、マクロセルと同じ周波数又は異なる周波数に属する。また、小セルは、ＬＴＥ（Ｅ−ＵＴＲＡ）とは異なる規格に準拠してもよい。
【先行技術文献】
【非特許文献】
【０００５】
【非特許文献１】３ＧＰＰ技術仕様書  「ＴＳ３６．３００  Ｖ１１．６．０」  ２０１３年６月
【発明の概要】
【発明が解決しようとする課題】
【０００６】
しかしながら、マクロセル内に多数の小セルが配置される場合、マクロセルが報知すべき近隣セル情報の量が増大し、近隣セル情報の報知に伴うオーバーヘッドが増大する問題がある。
【０００７】
そこで、本発明は、近隣セル情報の報知に伴うオーバーヘッドを削減することを目的とする。
【課題を解決するための手段】
【０００８】
第１の特徴に係るユーザ端末は、マクロセルのカバレッジ内に小セルが配置される移動通信システムにおいて、前記マクロセルから報知される近隣セル情報に基づいてセル再選択を行う。前記ユーザ端末は、前記ユーザ端末が前記マクロセルと接続した接続状態において、前記小セルに関する小セル情報を管理するサーバ装置から、前記マクロセルを介して前記小セル情報を取得する制御部を備える。前記マクロセルから報知される前記近隣セル情報は、前記小セル以外の近隣セルに関する情報である。前記制御部は、前記ユーザ端末のアイドル状態において、前記サーバ装置から取得した前記小セル情報に基づいて前記小セルに対するセル再選択を行う。
【０００９】
第２の特徴に係る基地局は、マクロセルのカバレッジ内に小セルが配置される移動通信システムにおいて、前記マクロセルを管理する。前記基地局は、前記小セル以外の近隣セルに関する近隣セル情報を報知する制御部を備える。前記近隣セル情報は、アイドル状態にあるユーザ端末が前記小セル以外の近隣セルに対するセル再選択に利用する情報である。
【００１０】
第３の特徴に係るサーバ装置は、マクロセルのカバレッジ内に小セルが配置される移動通信システムにおいて用いられる。前記サーバ装置は、前記小セルに関する小セル情報を管理する制御部を備える。前記制御部は、前記マクロセルと接続したユーザ端末に対して、前記マクロセルを介して前記小セル情報を提供する。前記小セル情報は、アイドル状態にある前記ユーザ端末が前記小セルに対するセル再選択に利用する情報である。
【発明の効果】
【００１１】
本発明によれば、近隣セル情報の報知に伴うオーバーヘッドを削減できる。
【図面の簡単な説明】
【００１２】
【図１】実施形態に係るＬＴＥシステムの構成図である。
【図２】実施形態に係るＵＥのブロック図である。
【図３】実施形態に係るｅＮＢのブロック図である。
【図４】実施形態に係るサーバのブロック図である。
【図５】実施形態に係る無線インターフェイスのプロトコルスタック図である。
【図６】実施形態に係る無線フレームの構成図である。
【図７】実施形態に係る動作環境を説明するための図である。
【図８】実施形態に係る動作シーケンス図である。
【図９】実施形態に係る小セル情報要求の構成例である。
【図１０】実施形態に係る小セル情報の構成例である。
【発明を実施するための形態】
【００１３】
［実施形態の概要］
実施形態に係るユーザ端末は、マクロセルのカバレッジ内に小セルが配置される移動通信システムにおいて、前記マクロセルから報知される近隣セル情報に基づいてセル再選択を行う。前記ユーザ端末は、前記ユーザ端末が前記マクロセルと接続した接続状態において、前記小セルに関する小セル情報を管理するサーバ装置から、前記マクロセルを介して前記小セル情報を取得する制御部を備える。前記マクロセルから報知される前記近隣セル情報は、前記小セル以外の近隣セルに関する情報である。前記制御部は、前記ユーザ端末のアイドル状態において、前記サーバ装置から取得した前記小セル情報に基づいて前記小セルに対するセル再選択を行う。
【００１４】
実施形態では、前記ユーザ端末は、前記マクロセルから報知されるサーバ情報を受信する受信部をさらに備える。前記サーバ情報は、前記ユーザ端末が前記サーバ装置にアクセスするために必要な情報である。前記制御部は、前記サーバ情報に基づいて、前記サーバ装置から前記マクロセルを介して前記小セル情報を取得する。
【００１５】
実施形態では、前記制御部は、前記ユーザ端末の地理的位置を示す端末位置情報を前記サーバ装置に通知することにより、前記ユーザ端末の近傍に位置する前記小セルについての前記小セル情報を前記サーバ装置から取得する。
【００１６】
実施形態に係る基地局は、マクロセルのカバレッジ内に小セルが配置される移動通信システムにおいて、前記マクロセルを管理する。前記基地局は、前記小セル以外の近隣セルに関する近隣セル情報を報知する制御部を備える。前記近隣セル情報は、アイドル状態にあるユーザ端末が前記小セル以外の近隣セルに対するセル再選択に利用する情報である。
【００１７】
実施形態では、前記制御部は、前記小セルに関する小セル情報を管理するサーバ装置にアクセスするために必要なサーバ情報をさらに報知する。前記小セル情報は、アイドル状態にあるユーザ端末が前記小セルに対するセル再選択に利用する情報である。
【００１８】
実施形態に係るサーバ装置は、マクロセルのカバレッジ内に小セルが配置される移動通信システムにおいて用いられる。前記サーバ装置は、前記小セルに関する小セル情報を管理する制御部を備える。前記制御部は、前記マクロセルと接続したユーザ端末に対して、前記マクロセルを介して前記小セル情報を提供する。前記小セル情報は、アイドル状態にある前記ユーザ端末が前記小セルに対するセル再選択に利用する情報である。
【００１９】
実施形態では、前記小セル情報は、前記小セルのセル識別子を含む。前記制御部は、前記マクロセルのセル識別子と関連付けて前記小セル情報を管理している。前記小セルのセル識別子の上位ビットは、前記マクロセルのセル識別子に含まれる上位ビットと同一である。
【００２０】
実施形態では、前記小セル情報は、前記小セルの地理的位置を示す小セル位置情報と関連付けられている。前記制御部は、前記ユーザ端末から通知される端末位置情報に基づいて、前記ユーザ端末の近傍に位置する前記小セルについての前記小セル情報を前記ユーザ端末に提供する。
【００２１】
［実施形態］
以下において、本発明をＬＴＥシステムに適用する場合の実施形態を説明する。
【００２２】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２３】
ＵＥ１００は、ユーザ端末に相当する。ＵＥ１００は、移動型の通信装置であり、セル（サービングセル）との無線通信を行う。ＵＥ１００の構成については後述する。
【００２４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２５】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２６】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。また、ＥＰＣ２０は、サーバ４００を含む。サーバ４００の構成については後述する。
【００２７】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当する。プロセッサ１６０（及びメモリ１５０）は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００２８】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００２９】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示すＵＥ位置情報（経度・緯度など）を得るために、ＧＮＳＳ信号を受信して、受信した信号をプロセッサ１６０に出力する。バッテリ１４０は、ＵＥ１００の各ブロックに供給すべき電力を蓄える。
【００３０】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３１】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０は記憶部に相当する。プロセッサ２４０（及びメモリ２３０）は、制御部を構成する。
【００３２】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００３３】
ネットワークインターフェイス２２０は、Ｘ２インターフェイスを介して近隣ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３４】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３５】
図４は、サーバ４００のブロック図である。図４に示すように、サーバ４００は、ネットワークインターフェイス４１０、メモリ４２０、及びプロセッサ４３０を備える。メモリ４２０は記憶部に相当する。プロセッサ４３０（及びメモリ４２０）は、制御部を構成する。
【００３６】
ネットワークインターフェイス４１０は、Ｅ−ＵＴＲＡＮ１０を介したＵＥ１００との通信に用いられる。メモリ４２０は、プロセッサ４３０により実行されるプログラム、及びプロセッサ４３０による処理に使用される情報を記憶する。プロセッサ４３０は、メモリ４２０に記憶されるプログラムを実行して各種の処理を行う。プロセッサ４３０は、後述する各種の処理を実行する。
【００３７】
図５は、ＬＴＥシステムにおける無線インターフェイスのプロトコルスタック図である。図５に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００３９】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００４０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４１】
ＰＤＣＰ層は、ヘッダ圧縮・伸張、及び暗号化・復号化を行う。
【００４２】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４３】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４４】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４５】
図６に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００４６】
ＵＥ１００に割り当てられる無線リソースのうち、周波数リソースはリソースブロックにより構成され、時間リソースはサブフレーム（又はスロット）により構成される。
【００４７】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。
【００４８】
上りリンクにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００４９】
（実施形態に係る動作）
（１）動作概要
図７は、実施形態に係る動作環境を説明するための図である。
【００５０】
図７に示すように、実施形態では、マクロセルＭＣ内に小セルＳＣが設けられる環境（いわゆる、ＨｅｔＮｅｔ環境）を想定する。小セルＳＣは、例えばピコセル又はフェムトセルである。図７の例では、マクロセルＭＣ内の小セルＳＣの数は７であるが、実環境では、多数の小セルＳＣがマクロセルＭＣ内に設けられる。また、実環境では、マクロセルＭＣの近隣の他のマクロセルＭＣが存在する。
【００５１】
ｅＮＢ２００−１はマクロセルＭＣを管理する。ｅＮＢ２００−２乃至ｅＮＢ２００−８のそれぞれは、小セルＳＣを管理する。小セルＳＣは、マクロセルＭＣと同じ周波数又は異なる周波数に属する。なお、小セルＳＣは、ＬＴＥ（Ｅ−ＵＴＲＡ）とは異なる規格に準拠してもよい。各セルには、物理セル識別子（ＰＣＩ）などのセル識別子が割り当てられている。各セルは、当該セルにおいて、当該セルのＰＣＩを特定可能な無線信号を送信する。
【００５２】
マクロセルＭＣには、複数のＵＥ１００（ＵＥ１００−１乃至１００−３）が在圏している。すなわち、マクロセルＭＣは、ＵＥ１００−１乃至１００−３のそれぞれのサービングセルである。ＵＥ１００は、マクロセルＭＣにおいて接続状態であってもよく、アイドル状態であってもよい。
【００５３】
アイドル状態にあるＵＥ１００は、移動に伴って、サービングセルを再選択（セル再選択）する。具体的には、アイドル状態にあるＵＥ１００は、サービングセルから周期的に報知される近隣セル情報に基づいて、セル再選択を行う。
【００５４】
近隣セル情報は、近隣セルのセル識別子（ＰＣＩ）のリストである近隣セルリストとセル再選択のパラメータとを含む。ＵＥ１００は、近隣セル情報に基づくセルサーチにより近隣セルを検知することにより、セル再選択を行う。
【００５５】
近隣セル情報は、例えばＳＩＢ４乃至ＳＩＢ８である。ＳＩＢ４は、周波数内（Ｉｎｔｒａ−ｆｒｅｑｕｅｎｃｙ）の近隣セルに関する情報である。ＳＩＢ５は、他周波数（Ｉｎｔｅｒ−ｆｒｅｑｕｅｎｃｙ）の近隣セルに関する情報である。ＳＩＢ６乃至ＳＩＢ８は、ＬＴＥ（Ｅ−ＵＴＲＡ）とは異なる規格の近隣セルに関する情報である。
【００５６】
マクロセルＭＣ内に多数の小セルＳＣが配置される場合、マクロセルＭＣが報知すべき近隣セル情報の量が増大し、近隣セル情報の報知に伴うオーバーヘッドが増大する。具体的には、マクロセルＭＣが報知すべきＳＩＢ４乃至ＳＩＢ８の情報量が増大し、当該報知に伴う無線リソースの消費量が増大する。また、ＳＩＢ４乃至ＳＩＢ８で格納可能な情報量の上限を超える虞もある。
【００５７】
そこで、実施形態では、ＵＥ１００、ｅＮＢ２００−１、及びサーバ４００は、以下のようにして、近隣セル情報の報知に伴うオーバーヘッドを削減する。
【００５８】
実施形態に係るＵＥ１００は、マクロセルＭＣから報知される近隣セル情報に基づいてセル再選択を行う。ＵＥ１００は、ＵＥ１００がマクロセルＭＣと接続した接続状態において、小セルＳＣに関する小セル情報を管理するサーバ４００から、マクロセルＭＣを介して小セル情報を取得する。マクロセルＭＣから報知される近隣セル情報は、小セルＳＣ以外の近隣セル（例えば近隣マクロセルＭＣ）に関する情報である。ＵＥ１００は、アイドル状態において、サーバ４００から取得した小セル情報に基づいて小セルＳＣに対するセル再選択を行う。
【００５９】
このように、サーバ４００からＵＥ１００に小セル情報を提供することにより、マクロセルＭＣから報知される近隣セル情報（ＳＩＢ４乃至ＳＩＢ８）から小セル情報を除外できるため、近隣セル情報の報知に伴うオーバーヘッドを削減できる。また、マクロセルＭＣから報知される近隣セル情報から小セル情報を除外しても、ＵＥ１００が小セルＳＣに対するセル再選択を行うことができる。
【００６０】
ＵＥ１００は、マクロセルＭＣから報知されるサーバ情報を受信してもよい。サーバ情報は、ＵＥ１００がサーバ４００にアクセスするために必要な情報（例えばアドレス情報）である。この場合、ＵＥ１００は、サーバ情報に基づいて、サーバ４００からマクロセルＭＣを介して小セル情報を取得する。これにより、サーバ４００が複数存在する場合、又はＵＥ１００がサーバ４００の存在を把握していない場合でも、ＵＥ１００がサーバ４００に対してアクセス可能とすることができる。
【００６１】
ＵＥ１００は、ＵＥ１００の地理的位置を示すＵＥ位置情報をサーバ４００に通知することにより、ＵＥ１００の近傍に位置する小セルＳＣについての小セル情報をサーバ４００から取得してもよい。これにより、ＵＥ１００がサーチすべき小セルＳＣの数を削減できるため、ＵＥ１００の消費電力を削減できる。
【００６２】
実施形態に係るｅＮＢ２００−１は、マクロセルＭＣを管理する。ｅＮＢ２００−１は、小セルＳＣ以外の近隣セルに関する近隣セル情報を報知する。近隣セル情報は、アイドル状態にあるＵＥ１００が小セルＳＣ以外の近隣セルに対するセル再選択に利用する情報である。ｅＮＢ２００−１は、サーバ４００にアクセスするために必要なサーバ情報をさらに報知してもよい。
【００６３】
実施形態に係るサーバ４００は、小セルＳＣに関する小セル情報を管理する。サーバ４００は、マクロセルＭＣと接続したＵＥ１００に対して、マクロセルＭＣを介して小セル情報を提供する。
【００６４】
小セル情報は、小セルＳＣのセル識別子を含む。例えば、小セル情報は、小セルＳＣのセル識別子（ＰＣＩ）のリストである小セルリストとセル再選択のパラメータとを含む。サーバ４００は、マクロセルＭＣのセル識別子と関連付けて小セル情報を管理する。よって、サーバ４００は、ＵＥ１００に対して、当該ＵＥ１００が接続したマクロセルＭＣ内の小セルＳＣについての小セル情報のみを当該ＵＥ１００に提供できる。
【００６５】
なお、小セルＳＣのセル識別子の上位ビットを、マクロセルＭＣのセル識別子に含まれる上位ビットと同一とすることにより、マクロセルＭＣ及び小セルＳＣの関連づけを容易にすることができる。
【００６６】
サーバ４００は、小セル情報を、小セルＳＣの地理的位置（例えば経度・緯度）を示す小セルＳＣ位置情報と関連付けて管理してもよい。この場合、サーバ４００は、ＵＥ１００から通知されるＵＥ位置情報に基づいて、ＵＥ１００の近傍に位置する小セルＳＣについての小セル情報をＵＥ１００に提供できる。
【００６７】
（２）動作シーケンス
次に、実施形態に係る動作シーケンスについて説明する。図８は、実施形態に係る動作シーケンス図である。図８の初期状態において、ＵＥ１００はマクロセルＭＣにおいてアイドル状態である。
【００６８】
図８に示すように、ステップＳ１０１において、マクロセルＭＣを管理するｅＮＢ２００−１は、マクロセルＭＣ内の全ＵＥ１００に共通に適用される共通制御情報（システム情報）を報知する。
【００６９】
共通制御情報は、自セル（マクロセルＭＣ）に関するサービングセル情報（例えばＳＩＢ１及びＳＩＢ２）と、近隣セル情報（例えばＳＩＢ４乃至ＳＩＢ８）と、を含む。上述したように、マクロセルＭＣから報知される近隣セル情報は、小セルＳＣ以外の近隣セル（例えば近隣マクロセルＭＣ）に関する情報である。共通制御情報は、サーバ４００にアクセスするために必要なサーバ情報をさらに含んでもよい。
【００７０】
ステップＳ１０２において、共通制御情報のうちサービングセル情報を受信したＵＥ１００は、サービングセル情報に基づいてマクロセルＭＣとのＲＲＣ接続を確立し、ＥＰＣ２０（ＭＭＥ／Ｓ−ＧＷ３００）とのベアラを確立する。その結果、ＵＥ１００は、アイドル状態から接続状態に遷移する。なお、ＵＥ１００は、サーバ４００にアクセスすることを目的としてＲＲＣ接続を確立する場合に、マクロセルＭＣとの接続確立手順において、サーバ４００にアクセスするための接続であることを示す情報をマクロセルＭＣに送信してもよい。
【００７１】
ステップＳ１０３において、ＵＥ１００は、小セル情報の提供を要求するための小セル情報要求をサーバ４００に送信する。ここで、ＵＥ１００は、マクロセルＭＣから受信したサーバ情報に基づいて、小セル情報要求の宛先とするサーバ４００を設定してもよい。また、小セル情報要求は、ＵＥ位置情報を含んでもよい。小セル情報要求は、マクロセルＭＣのセル識別子を含んでもよい。
【００７２】
ステップＳ１０４において、ＵＥ１００からの小セル情報要求を受信したサーバ４００は、ＵＥ１００が接続するマクロセルＭＣ内の小セルＳＣについての小セル情報を抽出し、当該小セル情報をＵＥ１００に提供する。また、サーバ４００は、ＵＥ位置情報に基づいて、ＵＥ１００の近傍に位置する小セルＳＣについての小セル情報のみをＵＥ１００に提供してもよい。サーバ４００は、ＮＡＳメッセージにより小セル情報をＵＥ１００に送信してもよい。ＵＥ１００は、サーバ４００から取得した小セル情報を記憶する。
【００７３】
ステップＳ１０５において、ＵＥ１００は、マクロセルＭＣとのＲＲＣ接続を解放し、ＥＰＣ２０（ＭＭＥ／Ｓ−ＧＷ３００）とのベアラを解放する。その結果、ＵＥ１００は、接続状態からアイドル状態に遷移する。
【００７４】
ステップＳ１０６において、ＵＥ１００は、小セル情報に基づくセルサーチにより小セルＳＣを検知することにより、セル再選択を行う。これにより、ＵＥ１００は、サービングセルをマクロセルＭＣから小セルＳＣに変更する。
【００７５】
ステップＳ１０７において、ＵＥ１００は、小セルＳＣとのＲＲＣ接続を確立し、ＥＰＣ２０（ＭＭＥ／Ｓ−ＧＷ３００）とのベアラを確立する。
【００７６】
次に、上述した動作シーケンスにおいて利用されるメッセージ構成例について説明する。図９は、ＵＥ１００からサーバ４００に送信される小セル情報要求の構成例である。図１０は、サーバ４００からＵＥ１００に送信される小セル情報の構成例である。
【００７７】
図９に示すように、小セル情報要求は、小セル情報要求に対応するメッセージタイプを示す情報要素と、サービングセル（マクロセルＭＣ）のセル識別子を示す除法要素と、ＵＥ１００の経度（Ｌｏｇ）を示す情報要素と、ＵＥ１００の緯度（ＬＡＴ）を示す情報要素と、を含む。
【００７８】
図１０に示すように、小セル情報は、小セル情報に対応するメッセージタイプを示す情報要素と、ＵＥ１００のサービングセル（マクロセルＭＣ）のセル識別子を示す情報要素と、当該小セル情報に対応する小セルＳＣの数を示す情報要素と、キャンプが禁止される小セルＳＣのＰＣＩのリストであるブラックセルリスト情報要素（ＢｌａｃｋＣｅｌｌＬｉｓｔ）と、キャンプが許容される小セルＳＣのＰＣＩのリストである小セルリスト情報要素（ＮｅｉｇｈＣｅｌｌＩｎｆｏ）と、セル再選択のパラメータ情報要素（ｑ−ＯｆｆｓｅｔＣｅｌｌ）と、を含む。
【００７９】
（実施形態のまとめ）
上述したように、ＵＥ１００は、マクロセルＭＣから報知される近隣セル情報に基づいてセル再選択を行う。ＵＥ１００は、ＵＥ１００がマクロセルＭＣと接続した接続状態において、小セルＳＣに関する小セル情報を管理するサーバ４００から、マクロセルＭＣを介して小セル情報を取得する。マクロセルＭＣから報知される近隣セル情報は、小セルＳＣ以外の近隣セルに関する情報である。ＵＥ１００は、アイドル状態において、サーバ４００から取得した小セル情報に基づいて小セルＳＣに対するセル再選択を行う。
【００８０】
このように、サーバ４００からＵＥ１００に小セル情報を提供することにより、マクロセルＭＣから報知される近隣セル情報（ＳＩＢ４乃至ＳＩＢ８）から小セル情報を除外できるため、近隣セル情報の報知に伴うオーバーヘッドを削減できる。また、マクロセルＭＣから報知される近隣セル情報から小セル情報を除外しても、ＵＥ１００が小セルＳＣに対するセル再選択を行うことができる。
【００８１】
［その他の実施形態］
上述した実施形態では、サーバ４００が、ＵＥ１００から通知されるＵＥ位置情報に基づいて、ＵＥ１００の近傍に位置する小セルＳＣについての小セル情報をＵＥ１００に提供する一例を説明した。しかしながら、このような動作に代えて、小セル情報に小セル位置情報を含めることにより、ＵＥ１００の近傍に位置する小セルＳＣをＵＥ１００で判断してもよい。
【００８２】
上述した実施形態では、移動通信システムの一例としてＬＴＥシステムを説明したが、ＬＴＥシステムに限定されるものではなく、ＬＴＥシステム以外のシステムに本発明を適用してもよい。
【符号の説明】
【００８３】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…無線送受信機、２２０…ネットワークインターフェイス、２３０…メモリ、２４０…プロセッサ、３００…ＭＭＥ／Ｓ−ＧＷ、４００…サーバ
【図１】
2015065560.tif 000003
【図２】
2015065560.tif 000004
【図３】
2015065560.tif 000005
【図４】
2015065560.tif 000006
【図５】
2015065560.tif 000007
【図６】
2015065560.tif 000008
【図７】
2015065560.tif 000009
【図８】
2015065560.tif 000010
【図９】
2015065560.tif 000011
【図１０】
2015065560.tif 000012